(57)【要約】【課題】傘状構造体を閉じる際、傘布の親骨間に張られる部分を内側に引き込むようにする。【解決手段】傘布の親骨３間に張られる部分にそれぞれ設けられた芯材４と、芯材４と傘軸５とを連結し、又は、傘布の芯材４が設けられた部位と傘軸５とを連結し、親骨３が傘軸５側に引き寄せられて傘布の張りが緩むのに応じて傘布の張られる部分を傘軸５側に引き寄せる引っ張り部材６と、を備えている。傘布の張られる部分を内側に引き込みながら傘状構造体を閉じることができる。【選択図】図１
2019180933.tif 000002
【特許請求の範囲】
【請求項１】
傘布の親骨間に張られる部分にそれぞれ設けられた芯材と、
前記芯材と傘軸とを連結し、又は、前記傘布の前記芯材が設けられた部位と傘軸とを連結し、前記親骨が前記傘軸側に引き寄せられて前記傘布の張りが緩むのに応じて前記傘布の張られる部分を前記傘軸側に引き寄せる引っ張り部材と、
を備えることを特徴とする傘状構造体。
【請求項２】
前記親骨は、傘状構造体を閉じた状態で中央部よりも露先側の方が前記傘軸により近くなるように湾曲していることを特徴とする請求項１記載の傘状構造体。
【請求項３】
前記傘布の張られる部分を前記傘軸側に向けて付勢するシート状のばね部材を備えることを特徴とする請求項１記載の傘状構造体。
【発明の詳細な説明】
【技術分野】
【０００１】
本発明は、雨傘、日傘、和傘、ビーチパラソルやガーデンパラソル等の日よけ傘、等の傘状構造体に関する。
【背景技術】
【０００２】
傘を閉じると、傘布の親骨間に張られる部分がたるんで広がり、邪魔になる。そのため、このたるみ部分を傘軸の外側に巻き付けて束ね、さらに巻き紐で止めることが行われる。この一連の動作は手で行われるため、雨の日の使用によって傘布が濡れていると、手が濡れてしまう。この手が濡れるという煩わしさを解消するための傘として、例えば引用文献１に開示されているものがある。
【０００３】
この傘を、図８及び図９に示す。傘布１０１には複数の弾力性のある湾曲部材１０２が設けられている。傘１００を開いた状態では、放射状に配置された親骨１０３が傘布１０１を張るため、湾曲部材１０２は平らな形状に弾性変形している。この状態より、傘１００を閉じると、親骨１０３による傘布１０１の張りが緩むので、湾曲部材１０２が湾曲し、傘布１０１の親骨１０３と親骨１０３の間のたるみ部分１０１ａを傘軸１０４の外側に巻き付ける。そして、たるみ部分１０１ａの外側に湾曲させた巻き紐１０５を巻き付けることで、たるみ部分１０１ａが広がらないようにすることができる。
【先行技術文献】
【特許文献】
【０００４】
【特許文献１】特開２０００−３１２６０９号公報
【発明の概要】
【発明が解決しようとする課題】
【０００５】
しかしながら、上記の傘１００は、傘布１０１のたるみ部分１０１ａを傘軸１０４の外側に巻き付けるようにしているため、傘布１０１の濡れている部分は露出している。そのため、傘１００の使用者の手や衣服を濡らす虞がある。
本発明は、かかる課題を解決するためになされたものであり、傘状構造体を閉じることで傘布の親骨間に張られる部分を隠すことができる傘状構造体を提供することを目的とする。
【課題を解決するための手段】
【０００６】
上記目的を達成するため、本発明の傘状構造体は、傘布の親骨間に張られる部分にそれぞれ設けられた芯材と、芯材と傘軸とを連結し、又は、傘布の芯材が設けられた部位と傘軸とを連結し、親骨が傘軸側に引き寄せられて傘布の張りが緩むのに応じて傘布の張られる部分を傘軸側に引き寄せる引っ張り部材と、を備えている。
したがって、傘状構造体を閉じる際、親骨による傘布の張りが緩むと、傘布の張られる部分が傘軸側に引き寄せられる。そのため、傘布の張られる部分を内側に引き込みながら傘状構造体を閉じることができる。
【０００７】
また、本発明の傘状構造体は、親骨を、傘状構造体を閉じた状態で中央部よりも露先側の方が傘軸により近くなるように湾曲させても良い。
この場合には、傘状構造体を閉じた状態で、傘状構造体全体をより細く纏めることができる。
【０００８】
また、本発明の傘状構造体は、傘布の張られる部分を傘軸側に向けて付勢するシート状のばね部材を備えるようにしても良い。
この場合には、傘状構造体を閉じる際、引っ張り部材が傘布の張られる部分を傘軸側に引き寄せるのをばね部材によって補助することができる。
【発明の効果】
【０００９】
本発明によれば、傘状構造体を閉じる際、傘布の親骨間に張られる部分を傘軸側に引き込んで隠すことができる。そのため、雨によって濡れた部分を隠すことができ、使用者の手や衣服等を濡らすのを防止することができる。
また、本発明によれば、傘状構造体を閉じる際、傘布の親骨間に張られる部分を傘軸側に引き込むことができるので、傘状構造体を閉じた後で傘布を巻き紐で止める必要がなくなり、巻き紐を不要にすることが可能になる。
さらに、本発明によれば、傘状構造体を閉じる際、傘布の親骨間に張られる部分を傘軸側に引き込んで隠すことができるので、見た目をスッキリとさせることができ、今までにない新しいデザインの傘状構造体を提供することができる。この場合、巻き紐を不要にすれば、さらに見た目をスッキリとさせることができ、より斬新なデザインの傘状構造体を提供することができる。
【図面の簡単な説明】
【００１０】
【図１】傘状構造体の芯材と引っ張り部材との位置関係を示し、（Ａ）は開いた状態における図、（Ｂ）は閉じる途中の図、（Ｃ）は閉じた状態における図である。
【図２】開いた状態の傘布を示す図である。
【図３】芯材の取付状態を示す図である。
【図４】芯材の取付状態を示し、（Ａ）は傘布の内側面に取り付けられた芯材を示す断面図、（Ｂ）は傘布の外側面に取り付けられた芯材を示す断面図、（Ｃ）は傘布の内側面と外側面に取り付けられた芯材を示す断面図である。
【図５】ばね部材を示し、（Ａ）は傘状構造体を開いた状態の斜視図、（Ｂ）は傘状構造体を閉じる途中の状態の斜視図である。
【図６】ばね部材を傘布に取り付けている様子を示す断面図である。
【図７】傘状構造体を示し、（Ａ）は傘状構造体を閉じる途中における斜視図、（Ｂ）は傘状構造体を閉じた状態の斜視図である。
【図８】従来の傘を示し、開いた状態の斜視図である。
【図９】従来の傘を示し、閉じる途中の状態の斜視図である。
【発明を実施するための形態】
【００１１】
次に、本発明に係る傘状構造体の実施形態の一例について、図面を参照しながら説明する。傘状構造体としては、雨傘、日傘、和傘、ビーチパラソルやガーデンパラソルなどの日よけ傘、等があるが、本実施形態では雨傘を例に説明する。ただし、雨傘に限るものではない。
【００１２】
図１〜図７に、本発明に係る雨傘１を示す。雨傘１は、複数の親骨３と複数の受け骨８と下ろくろ１１を備えている。図１（Ｃ）の雨傘を閉じた状態から、使用者が下ろくろ１１を傘軸５に沿って石突９側に移動させると、受け骨８が親骨３を押し上げる。これにより、親骨３が放射状に広がる。すなわち、雨傘１が開く（図１（Ａ））。そして、雨傘１を開いた状態から、使用者が下ろくろ１１を傘軸５に沿って握り手１５側に移動させると、受け骨８が親骨３を傘軸５側に引き寄せる。すなわち、雨傘１が閉じる。
【００１３】
また、雨傘１は、傘布２の親骨３間に張られる部分２ａにそれぞれ設けられた芯材４と、芯材４と傘軸５と連結し、又は、傘布２の芯材４が設けられた部位２ｂと傘軸５とを連結し、親骨３が傘軸５側に引き寄せられて傘布２の張りが緩むのに応じて傘布２の張られる部分２ａを傘軸５側に引き寄せる引っ張り部材６と、を備えている。
【００１４】
芯材４は、図２に示すように、各親骨３の間に１本ずつ設けられている。芯材４は線状又は棒状を成しており、例えば樹脂や金属等によって形成されている。芯材４は、隣り合う２本の親骨３から等距離の位置に設けられている。
【００１５】
芯材４の長さは、雨傘１を閉じる際、傘布２の親骨３間に張られる部分２ａを傘軸５側に各自に移動させることができる長さになっている。本実施形態では、図３に示すように、芯材４の長さを傘布２の外周縁２ｃの近傍から傘軸５の近傍にまで届く長さにしており、雨傘１を閉じる際、傘布２の中心近傍から外周縁２ｃの近傍までの広い範囲を芯材４によって傘軸５側に移動させることができるようにしているが、必ずしもここまで長くしなくても良い。
【００１６】
芯材４は、図４（Ａ）に示すように、傘布２の内側面２ｄに設けられており、雨傘１を開いた状態で他人から目立ち難くなっている。ただし、図４（Ｂ）に示すように、芯材４を傘布２の外側面２ｅに設けても良いし、図４（Ｃ）に示すように、内側面２ｄと外側面２ｅの両方に設けても良い。なお、芯材４をデザインの一部として利用することも可能であり、芯材４を傘布２の内側面２ｄに設けた場合は、芯材４を傘布２の内側面２ｄのデザインの一部として利用することができ、芯材４を傘布２の外側面２ｅに設けた場合は、芯材４を傘布２の外側面２ｅのデザインの一部として利用することができる。
芯材４は、例えば接着剤を利用して傘布２に接着されている。ただし、芯材４を傘布２に固着する手段は、これに限るものではない。
【００１７】
引っ張り部材６の一端６ａは、芯材４が傘布２の内側面２ｄに接着されている場合（図４（Ａ），（Ｃ））は芯材４に、芯材４が傘布２の外側面２ｅにのみ接着されている場合（図４（Ｂ））は傘布２の芯材４が設けられた部位２ｂにそれぞれ接続されている。また、引っ張り部材６の他端６ｂは、傘軸５に固定された連結部材７に接続されている。
【００１８】
引っ張り部材６は、図１（Ａ）に示すように、雨傘１を開いた状態で受け骨８よりも石突９側の内側空間１２に納められている。このようにすることで、雨傘１を使用する際、引っ張り部材６が使用者の邪魔になるのを防止することができる。
【００１９】
引っ張り部材６として、例えばゴム紐のように伸縮性を有する紐状部材が使用される。ただし、伸縮性を有する紐状部材に代えて、例えばスプリングを使用しても良いし、伸縮性を有しない紐やワイヤ等の線状部材と伸縮性を有するゴム紐やスプリングとの組み合わせを使用しても良い。また、雨傘１を閉じる際に傘布２の張られる部分２ａを傘軸５側に引き寄せることができるものであれば、引っ張り部材６として伸縮性を有しない紐やワイヤ等の紐状部材又は線状部材を使用しても良い。
【００２０】
図１（Ｃ）に示すように、各親骨３は、雨傘１を閉じた状態で中央部３ａよりも露先１３側の方が傘軸５により近くなるように湾曲している。したがって、雨傘１を閉じた状態で、雨傘１全体をより細く纏めることができる。
【００２１】
雨傘１は、傘布２の張られる部分２ａを傘軸５側に向けて付勢するシート状のばね部材１４を備えている。本実施形態では、傘布２の露先１３の近傍にシート状のばね部材１４を設けている。ばね部材１４は、例えば樹脂や金属のシートによって構成されている。
【００２２】
図５及び図６に、ばね部材１４を示す。ばね部材１４は左右に羽根部１４ａ，１４ｂを広げた形状をしており、外力が作用していない状態では中央部１４ｃで折れ曲がっている。左右の羽根部１４ａ，１４ｂは傘布２に例えば接着剤を使用して接着されている。本実施形態のばね部材１４は傘布２の内側面２ｄに接着されているが、傘布２の外側面２ｅに接着しても良い。また、本実施形態のばね部材１４は露先１３の近傍に接着されているが、接着する位置は露先１３の近傍に限るものではない。ばね部材１４のばね力はあまり強くなく、雨傘１の開閉に伴う傘布２の張りの強さの変化に応じて中央部１４ｃで折れ曲がる角度が変化する。
【００２３】
ばね部材１４を設けることで、雨傘１を閉じる際、親骨３による傘布２の張りが緩むと、傘布２の張られる部分２ａが傘軸５側に動くようにクセ付けることができる。すなわち、雨傘１を閉じる際、引っ張り部材６が傘布２の張られる部分２ａを傘軸５側に引き寄せるのをばね部材１４によって補助することができる。
【００２４】
使用した雨傘１を閉じる際、親骨３による傘布２の張りが緩むと、傘布２の張られる部分２ａが引っ張り部材６によって傘軸５側に引き寄せられる。そのため、傘布２の張られる部分２ａを内側に引き込みながら雨傘１を閉じることができる。また、本実施形態ではばね部材１４を設けているので、引っ張り部材６が傘布２の張られる部分２ａを傘軸５側に引き寄せるのをばね部材１４によって補助することができる。そのため、傘布２の張られる部分２ａをより良好に内側に引き込みながら雨傘１を閉じることができる。
【００２５】
このように、雨傘１を閉じると、傘布２の張られる部分２ａが自動的に傘軸５側に引き込まれるので、使用者がわざわざ手で傘布２の張られる部分２ａを処理する必要がない。そのため、使用者の手を濡らすことがない。
また、雨傘１を閉じる際、傘布２の張られる部分２ａを傘軸５側に引き込んで隠すことができる。そのため、雨によって濡れた部分を隠すことができ、使用者の手や衣服等を濡らすのを防止することができる。
【００２６】
また、雨傘１を閉じた状態で、傘布２の張られる部分２ａを隠すことができるので、見た目をスッキリとさせることができ、今までにない新しいデザインの雨傘１を提供することができる。
さらに、雨傘１を閉じる際、傘布２の張られる部分２ａを傘軸５側に引き込むことができるので、雨傘１を閉じた後で傘布２を巻き紐で止める必要がなくなり、巻き紐を不要にすることができる。そして、巻き紐を不要にできることからも見た目をスッキリとさせることができ、この点からも今までにない新しいデザインの雨傘１を提供することができる。
【００２７】
なお、上述の雨傘１はばね部材１４を設けていたが、ばね部材１４を設けなくても良い。
また、上述の雨傘１は親骨３を湾曲させていたが、親骨３を湾曲させなくても良い。
【産業上の利用可能性】
【００２８】
本発明は、雨傘、日傘、和傘、ビーチパラソルやガーデンパラソル等の日よけ傘、等の傘状構造体に利用できる。
【符号の説明】
【００２９】
１  雨傘（傘状構造体）
２  傘布
２ａ  傘布の親骨間に張られる部分
３  親骨
４  芯材
５  傘軸
６  引っ張り部材
１３  露先
１４  ばね部材
【図１】
2019180933.tif 000003
【図２】
2019180933.tif 000004
【図３】
2019180933.tif 000005
【図４】
2019180933.tif 000006
【図５】
2019180933.tif 000007
【図６】
2019180933.tif 000008
【図７】
2019180933.tif 000009
【図８】
2019180933.tif 000010
【図９】
2019180933.tif 000011